(57)【要約】      （修正有）【課題】監視システムをアップグレードする全体的な時間およびコストを減らす。【解決手段】第１の機械の動作を第１の監視システム４０４が監視することができるように確立される複数のハードウェア構成設定を受け取るためのインターフェイスモジュール４００と、インターフェイスモジュール４００に結合され、複数のハードウェア構成設定を第２の監視システム４０６内で使用するために複数のソフトウェア構成設定へと変換し、複数のソフトウェア構成設定が、第１の機械および第２の機械の少なくとも一方の動作を第２の監視システム４０６が監視することができるように確立される、変換モジュール４０２とを備える。【選択図】図４
2012069112.tif 000002
【特許請求の範囲】
【請求項１】
第１の監視システム（４０４）とともに使用するための変換システム（３００）であって、
前記第１の監視システムに関連する複数のハードウェア構成設定を受け取るためのインターフェイスモジュール（４００）であり、前記複数のハードウェア構成設定が、第１の機械の動作を前記第１の監視システムが監視することができるように確立される、インターフェイスモジュール（４００）と、
前記インターフェイスモジュールに結合され、前記複数のハードウェア構成設定を第２の監視システム（４０６）内で使用するために複数のソフトウェア構成設定へと変換するための変換モジュール（４０２）であり、前記複数のソフトウェア構成設定が、前記第１の機械および第２の機械の少なくとも一方の動作を前記第２の監視システムが監視することができるように確立される、変換モジュール（４０２）と
を備える、変換システム（３００）。
【請求項２】
前記変換モジュール（４０２）は、前記複数のハードウェア構成設定を前記複数のソフトウェア構成設定に変換する前に、前記複数のハードウェア構成設定を、前記第２の監視システム（４０６）により実質的に再現できるかどうかを判定する、請求項１記載の変換システム（３００）。
【請求項３】
前記変換モジュール（４０２）は、前記複数のハードウェア構成設定を前記第２の監視システム（４０６）により実質的に再現できないと判定した場合、アラートを生成する、請求項２記載の変換システム（３００）。
【請求項４】
前記変換モジュール（４０２）が、前記複数のハードウェア構成設定で構成される前記第１の監視システム（４０４）の動作と、前記複数のソフトウェア構成設定で構成される前記第２の監視システム（４０６）の動作との差を定量化する、請求項２記載の変換システム（３００）。
【請求項５】
前記変換モジュール（４０２）は、前記第２の監視システム（４０６）が前記複数のハードウェア構成設定を実質的に再現するために必要なハードウェアコンポーネントのリストを生成する、請求項１記載の変換システム（３００）。
【請求項６】
前記変換モジュール（４０２）が、
前記複数のソフトウェア構成設定を含むファイル（４１８）を生成し、
前記第２の監視システム（４０６）に前記ファイルを選択的にダウンロードする、
請求項１記載の変換システム（３００）。
【請求項７】
前記変換モジュール（４０２）が前記複数のソフトウェア設定を含む前記ファイル（４１８）を前記第２の監視システム（４０６）にダウンロードした後で、前記第２の監視システムが、前記第１の監視システム（４０４）と実質的に同様に動作できるようになる、請求項６記載の変換システム（３００）。
【請求項８】
第１の機械の動作を第１の監視システムが監視することができるように確立される複数のハードウェア構成設定を含む第１の監視システム（４０４）と、
変換システム（３００）と
を備える監視システム変換アセンブリ（４１２）であって、前記変換システム（３００）が、
前記複数のハードウェア構成設定を受け取るためのインターフェイスモジュールと、
前記ユーザインターフェイスモジュール（４００）に結合され、前記複数のハードウェア構成設定を第２の監視システム（４０６）内で使用するために複数のソフトウェア構成設定へと変換するための変換モジュール（４０２）であり、前記複数のソフトウェア構成設定が、前記第１の機械および第２の機械の少なくとも一方の動作を前記第２の監視システムが監視することができるように確立される、変換モジュール（４０２）と
を備える、監視システム変換アセンブリ（４１２）。
【請求項９】
前記変換モジュール（４０２）は、前記複数のハードウェア構成設定を前記複数のソフトウェア構成設定に変換する前に、前記複数のハードウェア構成設定を、前記第２の監視システム（４０６）により実質的に再現できるかどうかを判定する、請求項８記載の監視システム変換アセンブリ（４１２）。
【請求項１０】
前記変換モジュール（４０２）は、前記複数のハードウェア構成設定を前記第２の監視システム（４０６）により実質的に再現できないと判定した場合、アラートを生成する、請求項９記載の監視システム変換アセンブリ（４１２）。
【発明の詳細な説明】
【技術分野】
【０００１】
本出願は、一般に監視システムに関し、より具体的には、監視システムをアップグレードする際に使用するための変換システムに関する。
【背景技術】
【０００２】
既知の機械は、動作中に振動や他の異常な挙動を示すことがある。１つまたは複数のセンサを使用してそのような挙動を測定しかつ／または監視し、例えばモータ駆動シャフトに現れる振動の量、モータ駆動シャフトの回転速度、および／または動作中の機械もしくはモータの他の任意の好適な動作上の特性を決定することができる。しばしば、センサは、複数のモニタを含む監視システムに結合される。少なくとも一部の既知の監視システムは、１つまたは複数のセンサから測定値を表す信号を受け取り、それに応じて、それらの信号に対して少なくとも１つの処理ステップを実行してから、修正された信号を診断プラットフォームに伝送し、その診断プラットフォームはユーザによって使用可能な形式でそれらの測定値をユーザに向けて表示する。
【０００３】
少なくとも一部の既知の機械監視システムは、監視システムの動作を制御する複数のハードウェア構成設定を含む。例えば、１つまたは複数のモニタに１つまたは複数のジャンパを取り付けて、各モニタおよび／または監視システムの動作を制御することができる。その監視システムが、ソフトウェアによって構成可能な監視システムにアップグレードされる場合、一般に各ジャンパの設定および／またはハードウェアの設定を記録する必要があり、アップグレードされる監視システムのソフトウェア構成設定を個別に設定しなければならない。そのような変換工程は時間がかかることがあり、設定しようとする設定の数にもよるが、１つまたは複数の構成設定が誤って変換される可能性がある。さらに、その監視システムの１つまたは複数のハードウェアコンポーネントが、アップグレードされる監視システムによってサポートされない可能性もある。そのため、監視システムがアップグレード可能かどうかを判定するために、それぞれのハードウェアコンポーネントごとに照会を個別に行わなければならない場合がある。そのような照会は時間がかかることがあり、既知の監視システムをアップグレードする全体的な時間およびコストを増す可能性がある。
【先行技術文献】
【特許文献】
【０００４】
【特許文献１】米国特許第７１８８１７１号公報
【発明の概要】
【課題を解決するための手段】
【０００５】
一実施形態では、第１の監視システムとともに使用するための変換システムが提供され、この変換システムは、第１の監視システムに関連する複数のハードウェア構成設定を受け取るためのインターフェイスモジュールと、その複数のハードウェア構成設定を第２の監視システム内で使用するために複数のソフトウェア構成設定へと変換する、インターフェイスモジュールに結合される変換モジュールとを含む。その複数のハードウェア構成設定は、第１の機械の動作を第１の監視システムが監視することができるように確立され、複数のソフトウェア構成設定は、第１の機械および第２の機械の少なくとも一方の動作を第２の監視システムが監視することができるように確立される。
【０００６】
別の実施形態では、監視システム変換アセンブリが提供され、この変換アセンブリは、複数のハードウェア構成設定を含む第１の監視システムと、変換システムとを含む。その変換システムは、複数のハードウェア構成設定を受け取るためのインターフェイスモジュールと、その複数のハードウェア構成設定を第２の監視システム内で使用するために複数のソフトウェア構成設定へと変換する、インターフェイスモジュールに結合される変換モジュールとを含む。その複数のハードウェア構成設定は、第１の機械の動作を第１の監視システムが監視することができるように確立され、複数のソフトウェア構成設定は、第１の機械および第２の機械の少なくとも一方の動作を第２の監視システムが監視することができるように確立される。
【０００７】
さらに別の実施形態では、第１の監視システムを第２の監視システムにアップグレードする方法が提供され、この方法は、第１の監視システムから複数のハードウェア構成設定を受け取るステップと、その第１の監視システムからの複数のハードウェア構成設定を、第２の監視システム内で使用するために複数のソフトウェア構成設定へと変換するステップとを含む。その複数のハードウェア構成設定は、第１の機械の動作を第１の監視システムが監視することができるように確立され、複数のソフトウェア構成設定は、第１の機械および第２の機械の少なくとも一方の動作を第２の監視システムが監視することができるように確立される。
【図面の簡単な説明】
【０００８】
【図１】機械の動作を監視するために使用することができる例示的監視システムの側断面図である。
【図２】図１に示す監視システムの正面図である。
【図３】図１に示す監視システムとともに使用することができる例示的変換システムのブロック図である。
【図４】図３に示す変換システムの一部分のブロック図である。
【図５】図３に示す変換システムとともに使用することができる例示的ユーザインターフェイスモジュールのブロック図である。
【発明を実施するための形態】
【０００９】
図１は、機械（不図示）の動作を監視するために使用することができる例示的機械監視システム１００の側断面図である。この例示的実施形態では、監視システム１００は、１つまたは複数のトランスデューサ１０２もしくは他のセンサを使用し、１つまたは複数の機械の少なくとも１つの動作状態を監視する。より具体的には、この例示的実施形態では複数のトランスデューサ１０２がシステムバックプレーン１０４に結合され、そのバックプレーン１０４は、機械および／または機械の１つもしくは複数のコンポーネントの、測定および／または検出された動作状態を示す信号をトランスデューサ１０２から受け取る。さらにこの例示的実施形態では、監視システム１００は、システムバックプレーン１０４に結合される電力供給部１０６から電力を得る。あるいは監視システム１００は、システム１００が本明細書に記載するように機能することを可能にする任意の好適な電源から電力を得ることができる。この例示的実施形態では、システムバックプレーン１０４は、複数の導線（不図示）を含む監視システムバス（図１には不図示）を含む。本明細書で使用するとき、用語「結合」は、コンポーネント間の直接的な機械的接続および／または電気的接続に限定されず、コンポーネント間の間接的な機械的接続および／または電気的接続も含むように使用することができる。
【００１０】
この例示的実施形態では、システムバックプレーン１０４はハウジング１０８の中に位置する。より具体的には、この例示的実施形態においてシステムバックプレーン１０４は、ハウジング１０８の後部１１０にごく近接してまたは隣接して位置する。ハウジング１０８の前部１１２は、外部環境に開かれている。ハウジング１０８は、その中に境界が定められた空洞１１４を含み、その空洞１１４は前部１１２と流体連通状態にあり、前部１１２から内側に広がる。
【００１１】
この例示的実施形態における監視システム１００は、少なくとも１つの監視モジュール１１６を含む。より具体的には、この例示的実施形態では、監視システム１００は、トランスデューサ１０２から受け取った少なくとも１つの信号を処理する少なくとも１つのトランスデューサ監視モジュール１１８を含む。本明細書で使用するとき、用語「処理」は、信号の少なくとも１つの特性を操作し、調節し、フィルタし、バッファし、かつ／または変更することを指す。この例示的実施形態では、監視システム１００は、システム１００が本明細書に記載するように機能することを可能にする任意の数のトランスデューサ監視モジュール１１８を含む。各監視モジュール１１８は、システムバックプレーン１０４に結合され、ハウジング１０８の中に少なくとも部分的に位置する。そのためこの例示的実施形態では、トランスデューサ１０２からの信号が、システムバックプレーン１０４を介してトランスデューサ監視モジュール１１８に伝送される。さらに一部の実施形態では、それぞれに異なるトランスデューサ監視モジュール１１８間で少なくとも１つの信号を伝送することができる。
【００１２】
この例示的実施形態では、監視システム１００は、システムバックプレーン１０４に結合され、ハウジング１０８の中に少なくとも部分的に含まれる、少なくとも１つのシステム監視モジュール１２０も含む。この例示的実施形態では、システム監視モジュール１２０は、トランスデューサ監視モジュール１１８および／または監視システム１００の他のコンポーネントから伝送される、データおよび／またはステータス信号を受け取る。モジュール１２０は、そのデータおよび／またはステータス信号を処理しかつ／もしくは解析してから、それらの信号をユーザに向けて表示しまたは出力するために、コンピュータシステムなどの遠隔システム（不図示）に伝送する。
【００１３】
図２は、監視システム１００の前部１１２の正面図である。図２には、前部１１２内に位置する監視モジュール１１６を３つしか図示しないが、監視システム１００が本明細書に記載するように機能することを可能にする任意の数の監視モジュールが前部１１２内に位置することができる。この例示的実施形態では、各監視モジュール１１６が、複数のハードウェアベースの構成設定によって構成される。より具体的には、この例示的実施形態では、各監視モジュール１１６が、複数のジャンパブロック２０２内に位置する複数のジャンパ２００を含む。各ジャンパ２００は、それぞれの監視モジュール１１６および／または監視システム１００の動作を制御する、変数、パラメータ、および／または信号などの構成設定に関連し、そうした構成設定を決定する。例えばジャンパ２００は、監視モジュール１１６の１つまたは複数の信号の振幅、ラッチモード、スケール係数、および／または任意の好適な特性を制御するために使用することができる。あるいは、またはそれに加え、各監視モジュール１１６は、監視システム１００が本明細書に記載するように機能することを可能にする他の任意の構成装置を含むことができる。例えば一実施形態では、監視システム１００が少なくとも部分的にソフトウェアによって構成可能であり、そのため、ハードウェアによって（すなわちジャンパ２００によって）構成される代わりにまたはそれに加え、１つまたは複数の構成ファイルによってなど、構成設定をソフトウェアにより可変的にプログラムすることができる。
【００１４】
図３は、（図１に示す）監視システム１００とともに使用することができる例示的変換システム３００のブロック図である。この例示的実施形態では、変換システム３００は、プロセッサ３０２、ディスプレイ３０４、メモリ３０６、および通信インターフェイス３０８を含む。ディスプレイ３０４、メモリ３０６、および通信インターフェイス３０８は、プロセッサ３０２にそれぞれ結合され、プロセッサ３０２とデータをやりとりする。
【００１５】
この例示的実施形態では、プロセッサ３０２には、１つまたは複数のシステムおよびマイクロコントローラ、マイクロプロセッサ、縮小命令セット回路（ＲＩＳＣ）、特定用途向け集積回路（ＡＳＩＣ）、プログラム可能論理回路（ＰＬＣ）、書替え可能ゲートアレイ（ＦＰＧＡ）、および本明細書に記載する機能を実行することができる他の任意の回路を含む、任意の好適なプログラム可能システムが含まれる。上記の例は例示的に過ぎず、したがって、用語「プロセッサ」の定義および／または意味をいかなる形にも限定することを意図するものでない。さらにこの例示的実施形態では、ディスプレイ３０４には、これだけに限定されないが、液晶ディスプレイ（ＬＣＤ）、ブラウン管（ＣＲＴ）、プラズマディスプレイ、ならびに／またはユーザに向けてグラフィカルデータおよび／もしくはテキストを表示することができる任意の好適な視覚出力装置が含まれる。
【００１６】
この例示的実施形態では、メモリ３０６には、これだけに限定されないが、ハードディスクドライブ、ソリッドステートドライブ、ディスケット、フラッシュドライブ、コンパクトディスク、デジタルビデオディスク、ランダムアクセスメモリ（ＲＡＭ）、ならびに／またはプロセッサ３０２が命令および／もしくはデータを記憶し、取り出し、かつ／または実行することを可能にする任意の好適な記憶装置などの、コンピュータ可読媒体が含まれる。メモリ３０６は、１つまたは複数のローカル記憶装置および／もしくは遠隔記憶装置を含むことができる。
【００１７】
この例示的実施形態では、通信インターフェイス３０８には、これだけに限定されないが、ネットワークインターフェイスコントローラ（ＮＩＣ）、ネットワークアダプタ、トランシーバ、および／または変換システム３００が本明細書に記載するように動作することを可能にする任意の好適な通信装置が含まれ得る。通信インターフェイス３０８は、例えばワイヤードイーサネット（商標）プロトコルやワイヤレスイーサネット（商標）プロトコルなど、任意の好適な通信プロトコルを使用して、ネットワーク、遠隔コンピュータシステム（いずれも不図示）、および／または１つもしくは複数の監視システム１００に接続することができる。
【００１８】
図４は、ユーザインターフェイスモジュール４００および変換モジュール４０２を含む、変換システム３００の一部分４０１のブロック図である。図５は、ユーザインターフェイスモジュール４００の一部分４０３のブロック図である。この例示的実施形態では、ユーザインターフェイスモジュール４００および変換モジュール４０２は、メモリ３０６の中に記憶され、プロセッサ３０２によって実行され、かつ／またはディスプレイ３０４（すべて図３に示す）によって表示されるソフトウェアモジュールである。ユーザインターフェイスモジュール４００および／または変換モジュール４０２に関連するデータは、（図３に示す）通信インターフェイス３０８により、遠隔システム（不図示）に伝送することができる。さらにこの例示的実施形態では、および本明細書でより詳細に説明するように、変換システム３００は、第１の監視システム４０４と第２の監視システム４０６との間でなど、２つの異なる監視システム１００間で１つまたは複数の設定を変換する。
【００１９】
この例示的実施形態では、第１の監視システム４０４は、１つまたは複数の監視モジュール４０８を含む。さらに、第１の監視システム４０４および／または監視モジュール４０８は、（図２に示す）１つまたは複数のジャンパ２００によって構成される。この例示的実施形態では、第２の監視システム４０６は、１つまたは複数の監視モジュール４１０を含む。さらにこの例示的実施形態では、第２の監視システム４０６および／または監視モジュール４１０は、ジャンパ２００によってではなく、ソフトウェアによって構成される。この例示的実施形態では、変換システム３００が、第１の監視システム４０４および／または監視モジュール４０８を、第２の監視システム４０６および／または監視モジュール４１０にアップグレードしかつ／またはレトロフィットすることを可能にする。本明細書に記載するように、第２の監視システム４０６は、第１の監視システム４０４から分離し、第１の監視システム４０４とは異なる監視システムとすることができる。あるいは第２の監視システム４０６は、監視モジュール４１０などで置換されかつ／またはアップグレードされている監視モジュール４０８などの１つもしくは複数のコンポーネントを含む、第１の監視システム４０４と同じものとすることができる。さらにこの例示的実施形態では、変換システム３００、第１の監視システム４０４、および／または第２の監視システム４０６の組合せが監視システム変換アセンブリ４１２を形成する。
【００２０】
一実施形態では、第１の監視システム４０４は、Ｇｅｎｅｒａｌ  Ｅｌｅｃｔｒｉｃ  Ｃｏｍｐａｎｙ（「ＧＥ」）が製造する３３００  Ｓｅｒｉｅｓ  Ｍａｃｈｉｎｅｒｙ  Ｐｒｏｔｅｃｔｉｏｎ  Ｓｙｓｔｅｍ（「３３００  Ｓｙｓｔｅｍ」）であり、第２の監視システム４０６は、ＧＥが製造する３５００  Ｓｅｒｉｅｓ  Ｍａｃｈｉｎｅｒｙ  Ｐｒｏｔｅｃｔｉｏｎ  Ｓｙｓｔｅｍ（「３５００  Ｓｙｓｔｅｍ」）である。別の実施形態では、第２の監視システム４０６は、３５００  Ｓｙｓｔｅｍとともに使用可能な少なくとも１つの監視モジュール４１０を含む３３００  Ｓｙｓｔｅｍである。あるいは、第１の監視システム４０４および／または第２の監視システム４０６は、変換システム３００とともに使用可能な他の任意のシステムとすることができる。
【００２１】
この例示的実施形態では、ユーザインターフェイスモジュール４００には、ディスプレイ３０４上に選択的に表示されるグラフィカルユーザインターフェイス（不図示）が含まれる。あるいは、またはそれに加え、ユーザインターフェイスモジュール４００には、ポインティングデバイス、キーボード、音声入力装置、タブレット（不図示）、および／または変換システム３００が本明細書に記載するように機能することを可能にする他の任意の装置が含まれ得る。この例示的実施形態では、ユーザがユーザインターフェイスモジュール４００を操作して、変換システム３００にデータを入力する。より具体的には、この例示的実施形態では、第１の監視システム４０４および／または監視モジュール４０８の所望の構成（本明細書では以下「構成設定」と呼ぶ）を表す１つもしくは複数の設定をユーザが入力する。そのような所望の構成には、これだけを含むことに限定されないが、第１の監視システム４０４内に設置されたハードウェアコンポーネントおよび／または監視モジュール４０８のリスト、ならびに／または各監視モジュール４０８内に現在設置されている（図２に示す）１つもしくは複数のジャンパ２００の位置、構成設定、および／もしくは他の任意の特性が含まれ得る。あるいはその構成設定は、第１の監視システム４０４と変換システム３００との間に結合されるデータ接続（不図示）を介してなど、第１の監視システム４０４から自動的に受け取ることができる。
【００２２】
この例示的実施形態では、ユーザインターフェイスモジュール４００は、ディスプレイ３０４上に表示可能な複数のウィンドウ５００を含む。より具体的には、この例示的実施形態では、ユーザインターフェイスモジュール４００は、ハードウェアコンポーネント入力ウィンドウ５０２および少なくとも１つの構成設定ウィンドウ５０４を含む。この例示的実施形態では、ハードウェアコンポーネント入力ウィンドウ５０２が最初にユーザに表示される。ユーザは、１つもしくは複数のボタン、メニュー、ドロップダウンボックス、テキスト入力フィールド、および／または変換システム３００が本明細書に記載するように機能することを可能にする、ユーザインターフェイスモジュール４００内の他の任意のデータ入力コンポーネントを操作することにより、第１の監視システム４０４内に設置されたハードウェアコンポーネントのリストを入力する。例えばこの例示的実施形態では、ユーザが第１の監視システム４０４内に設置された監視モジュール４０８のリストを入力すると、ユーザインターフェイスモジュール４００は、ユーザがハードウェアコンポーネント入力ウィンドウ５０２内に入力したハードウェアコンポーネントごとに、別個の構成設定ウィンドウ５０４をそのユーザに向けてディスプレイ３０４上に表示する。
【００２３】
この例示的実施形態では、ユーザが、監視モジュール４０８および／または別のハードウェアコンポーネントの１つもしくは複数のハードウェアベースの構成設定を、監視モジュール４０８および／またはそのハードウェアコンポーネントに関連する各構成設定ウィンドウ５０４内に入力する。例えばユーザは、１つもしくは複数のボタン、メニュー、ドロップダウンボックス、テキスト入力フィールド、および／または関連する構成設定ウィンドウ５０４内の他の任意のデータ入力コンポーネントを操作することにより、第１の監視システム４０４の連続した監視モジュール４０８内に設置されたジャンパ２００のリストを入力する。各構成設定が入力されると、ユーザインターフェイスモジュール４００内の関連する構成パラメータが、その構成設定の入力を表す値に設定される。
【００２４】
この例示的実施形態では、変換モジュール４０２が、ユーザインターフェイスモジュール４００から、第１の監視システム４０４内に設置されたハードウェアコンポーネントのリスト、構成パラメータ、および／または構成パラメータ値を表すデータを受け取る。受け取ったデータに基づき、変換モジュール４０２は、第１の監視システム４０４を第２の監視システム４０６にアップグレードおよび／またはレトロフィット可能かどうかを最初に判定する。例えばこの例示的実施形態では、第１の監視システム４０４は、複数のレガシー監視モジュール４０８を含むレガシー監視システムである。さらに第２の監視システム４０６は、アップグレードされた複数の監視モジュール４１０を含む、第１の監視システム４０４のアップグレード版である。
【００２５】
この例示的実施形態では、変換モジュール４０２は、メモリ３０６内および／または遠隔メモリ装置（不図示）内に記憶されるルックアップテーブルを使用して、ユーザによって入力される各ハードウェアコンポーネントを、第２の監視システム４０６内で使用するためにアップグレードおよび／またはレトロフィットできるかどうかを判定する。あるいは、変換モジュール４０２は、各ハードウェアコンポーネントをアップグレードおよび／またはレトロフィットできるかどうかを判定し、かつ／または第１の監視システム４０４をアップグレードおよび／もしくはレトロフィットできるかどうかを判定するために、他の任意のデータ、データ構造、および／または装置を使用することができる。
【００２６】
この例示的実施形態では、変換モジュール４０２が、第１の監視システム４０４をアップグレードできると判定した場合、変換モジュール４０２は、第１の監視システム４０４のハードウェア構成設定を、第２の監視システム４０６内で使用するために最適化される構成データに変換する。より具体的には、この例示的実施形態では、変換モジュール４０２は、ユーザインターフェイスモジュール４００から受け取ったハードウェアリスト、構成パラメータ、および構成パラメータ値を、第２の監視システム４０６内で使用することができるソフトウェアベースのハードウェアのリスト、構成パラメータ、および構成パラメータ値へと変換して、第１の監視システム４０４の構成および／または動作を実質的に再現する。
【００２７】
さらにこの例示的実施形態では、変換モジュール４０２は、その判定の結果を、すなわち第１の監視システム４０４をアップグレードおよび／またはレトロフィットできるかどうかを詳述するレポート４１４を生成する。この例示的実施形態では、レポート４１４は、ユーザに向けてディスプレイ３０４上に表示され、第２の監視システム４０６の構成および／または動作が、第１の監視システム４０４の構成および／または動作にどれだけ近く一致する見込みがあるのかを定量化しかつ／または定める要約を含む。例えばレポート４１４は、各ジャンパ２００に対応するパラメータおよびパラメータ値のリストを含むことができ、第２の監視システム４０６内の各変換済みパラメータ値が、第１の監視システム４０４内のそれぞれのまたは同様のパラメータ値にどれだけ近く一致する見込みがあるのかを示す値を含むことができる。ユーザはレポート４１４を見て、監視モジュール４０８および／または第１の監視システム４０４をアップグレードしもしくはレトロフィットすることを正当化するように、それらの変換済みパラメータ値が、第１の監視システム４０４のパラメータ値に十分に似ているかどうかを判定することができる。さらにこの例示的実施形態では、レポート４１４は、第１の監視システム４０４の１つまたは複数のパラメータ値が、あらかじめ定められた許容差範囲内で第２の監視システム４０６によって再現できないかどうかを示す。例えば、第１の監視システム４０４がトランスデューサ信号の利得を１０倍増加させるように構成され、第２の監視システム４０６が、その信号の利得を例えば１パーセントの範囲内（すなわち９．９と１０．１との間）で再現できない場合、変換モジュール４０２は、関連するパラメータおよび／またはパラメータ値を十分に再現できないことを示すアラートを生成することができる。より具体的には、関連するレポート４１４は、例えば１つもしくは複数の色および／またはフォントを使ってパラメータおよび／またはパラメータ値を強調表示することにより、パラメータおよび／またはパラメータ値のすぐ近くにアラームグラフィックを表示することにより、ならびに／または他の任意のグラフィカル表示および／もしくはテキスト表示により、パラメータおよび／またはパラメータ値を十分に再現できないことを示すことができる。それに加え、またあるいは、１つまたは複数のパラメータをあらかじめ定められた許容差範囲内で第２の監視システム４０６によって生成できない場合、１つまたは複数の音声アラームおよび／もしくは視覚アラーム、ならびに／または音声アラートおよび／もしくは視覚アラートを生成することができる。
【００２８】
第１の監視システム４０４をアップグレードできると変換モジュール４０２および／またはレポート４１４が示す場合、この例示的実施形態では、変換モジュール４０２が、第１の監視システム４０４をアップグレードするのに必要なコンポーネントを列挙する、「部品表」などのアップグレードコンポーネントリスト４１６を生成する。さらにこの例示的実施形態では、変換モジュール４０２は、ユーザインターフェイスモジュール４００から受け取ったハードウェアリスト、パラメータ、および／またはパラメータ値を、第２の監視システム４０６の１つもしくは複数のハードウェアコンポーネントおよび／またはソフトウェアコンポーネントに関連する構成データへと変換する。変換モジュール４０２は、構成データを含む構成ファイル４１８を生成し、構成ファイル４１８をメモリ３０６内に記憶する。構成ファイル４１８は、所望の通りにデータケーブル（不図示）を介しておよび／または無線により、第２の監視システム４０６に選択的にダウンロードしかつ／または伝送することができる。この例示的実施形態では、構成ファイル４１８を使用して、１つまたは複数の監視モジュール４１０を構成するように、第２の監視システム４０６の１つもしくは複数のソフトウェアコンポーネントおよび／またはハードウェアコンポーネントを構成する。より具体的には、構成ファイル４１８を使用して、第２の監視システム４０６および／または監視モジュール４１０の、それぞれのパラメータおよび／または設定が、第２の監視システム４０６および／または監視モジュール４１０を、第１の監視システム４０４および／または監視モジュール４０８と実質的に同様に構成させかつ／もしくは動作させるように、第２の監視システム４０６および／または監視モジュール４１０をプログラムする。そのため、第１の監視システム４０４の構成に基づいて第２の監視システム４０６の自動構成を行いながら、第２の監視システム４０６とともに、より新しく、よりロバストな監視モジュール４１０を使用することができる。
【００２９】
さらにこの例示的実施形態では、第１の監視システム４０４は第１の機械（不図示）の動作を監視する。第２の監視システム４０６は、第１の機械および／または第２の機械（不図示）の動作を監視する。より具体的には、この例示的実施形態では、第１の機械の動作を第１の監視システム４０４が監視することができるように、ジャンパ２００の設定など、複数のハードウェア構成設定が確立される。第１の機械および／または第２の機械の動作を第２の監視システム４０６が監視することができるように、構成データおよび／または構成ファイル４１８など、複数のソフトウェア構成設定が確立される。
【００３０】
本明細書に記載したように、変換システム３００は、第１の監視システムすなわちレガシー監視システムを、第２の監視システムにレトロフィットまたはアップグレードすることを可能にする。あるいは変換システム３００は、１つまたは複数のアップグレードされた監視モジュールなど、より新しくかつ／またはアップグレードされたコンポーネントを使用するために、第１の監視システムをアップグレードすることを可能にする。しかし、少なくとも一部の既知の監視システムは手動でアップグレードしなければならない。例えば、既知の監視システム内の各監視モジュールのハードウェア設定を、アップグレードを行う間に記録し、新たな監視システム内におよび／または新たな監視モジュール内に手入力しなければならない。個々のハードウェアコンポーネントおよび／またはハードウェア構成設定の手動変換を必要とするそのような既知のシステムとは対照的に、変換システム３００は、レガシー監視システムからアップグレード済み監視システムへの自動的、効率的、かつロバストな変換を可能にする。したがって、変換システム３００は、第１の監視システムをアップグレードする全体的な時間およびコストを減らすのに役立つ。
【００３１】
上記に記載したシステムは、第１の監視システムすなわちレガシー監視システムを、第２の監視システムすなわちアップグレード済み監視システムに変換することを可能にする。この変換システムは、レガシー監視システム内に設置されたハードウェアコンポーネントのリスト、および設置されたハードウェアコンポーネントごとの構成設定のリストを受け取る。この変換システムは、各ハードウェアコンポーネントをアップグレードできるかどうかを判定し、その判定をユーザに知らせるレポートを生成する。この変換システムはさらに、パラメータ設定のリストを、アップグレード済み監視システム内で使用するために複数のソフトウェア構成設定へと変換する。そのソフトウェア構成設定は、所望の通りにアップグレード済み監視システムにダウンロードするために構成ファイルの中に記憶される。
【００３２】
本明細書に記載したシステムおよび方法の技術的効果は、（ａ）第１の監視システムから複数のハードウェア構成設定を受け取ることであって、その複数のハードウェア構成設定は、第１の機械の動作を第１の監視システムが監視することができるように確立される、複数のハードウェア構成設定を受け取ること、および（ｂ）第１の監視システムからの複数のハードウェア構成設定を、第２の監視システム内で使用するために複数のソフトウェア構成設定へと変換することであって、その複数のソフトウェア構成設定は、第１の機械および第２の機械の少なくとも一方の動作を第２の監視システムが監視することができるように確立される、複数のソフトウェア構成設定へと変換することのうちの少なくとも一方を含む。
【００３３】
監視システムをアップグレードする際に使用する変換システムおよび方法の例示的実施形態を上記に詳述した。この方法、変換システム、および監視システムは、本明細書に記載した特定の実施形態に限定されず、むしろこのシステムのコンポーネントおよび／またはこの方法のステップを、本明細書に記載した他のコンポーネントおよび／またはステップとは独立にかつ別個に利用することができる。例えばこの変換システムは、他の監視システムおよび方法と組み合わせて使用することもでき、本明細書に記載した監視システムを使った実施法だけに限定されることはない。むしろこれらの例示的実施形態は、他の多くの電力系統応用に関連して実装し、利用することができる。
【００３４】
本発明の様々な実施形態の特定の特徴を一部の図面に示し、他の図面には示さないことがあるが、それは便宜上のものに過ぎない。本発明の原理によれば、ある図面のどんな特徴も他の任意の図面のどんな特徴とも組み合わせて参照しかつ／または特許請求できる。
【００３５】
本書は、最良の形態を含む本発明を開示するために、さらに任意の装置またはシステムを作成／使用し、任意の組み込まれた方法を実行することを含めて、当業者が本発明を実施できるようにするために複数の例を使用する。特許性のある本発明の範囲は、特許請求の範囲によって定義し、当業者なら思いつく他の例を含むことができる。そうした他の例が特許請求の範囲の文言と相違ない構造的要素を有する場合、またはそうした他の例が、特許請求の範囲の文言との相違がごくわずかな等価の構造的要素を含む場合、そうした他の例も特許請求の範囲に含まれることを意図する。
【符号の説明】
【００３６】
１００  監視システム
１０２  複数のトランスデューサ
１０４  システムバックプレーン
１０６  電力供給部
１０８  ハウジング
１１０  後部
１１２  前部
１１４  空洞
１１６  監視モジュール
１１８  トランスデューサ監視モジュール
１２０  システム監視モジュール
２００  ジャンパ
２０２  複数のジャンパブロック
３００  変換システム
３０２  プロセッサ
３０４  ディスプレイ
３０６  メモリ
３０８  通信インターフェイス
４００  ユーザインターフェイスモジュール
４０１  一部分
４０２  変換モジュール
４０３  一部分
４０４  第１の監視システム
４０６  第２の監視システム
４０８  監視モジュール
４１０  監視モジュール
４１２  監視システム変換アセンブリ
４１４  レポート
４１６  アップグレードコンポーネントリスト
４１８  構成ファイル
５００  複数のウィンドウ
５０２  ハードウェアコンポーネント入力ウィンドウ
５０４  構成設定ウィンドウ
【図１】
2012069112.tif 000003
【図２】
2012069112.tif 000004
【図３】
2012069112.tif 000005
【図４】
2012069112.tif 000006
【図５】
2012069112.tif 000007